(57)【要約】【課題】  本発明は左右の躯体が地震で異なる前後左右方向に揺れ動いても、床目地部や壁目地部に隙間が生じるのを確実に防止して、安全に使用することができる目地装置を得るにある。【解決手段】  目地部を介して設けられた側壁を有する通路を備えた左右の躯体の、一方の躯体の目地部側の通路の床面と平行で側壁部分まで突出するガイドレールと、このガイドレールに後端部が移動可能に支持され、先端部が他方の躯体の目地部側の通路の床面上に位置する床目地プレートと、ガイドレールにスライド移動可能で、床目地プレートの端部と一体になって移動するように取付けられた袖パネルを有する袖パネル装置、この袖パネル装置の袖パネルの先端部に一端部が取付けられ、他端部が他方の躯体の目地部側の側壁に取付けられた伸縮可能な壁用目地装置とからなる壁目地装置とで目地装置を構成している。【選択図】  図１
2010242311.tif 000002
【特許請求の範囲】
【請求項１】
目地部を介して設けられた側壁を有する通路を備えた左右の躯体の、一方の躯体の目地部側の通路の床面と平行で側壁部分まで突出するガイドレールと、このガイドレールに後端部が移動可能に支持され、先端部が他方の躯体の目地部側の通路の床面上に位置する床目地プレートと、前記ガイドレールにスライド移動可能で、前記床目地プレートの端部と一体になって移動するように取付けられた袖パネルを有する袖パネル装置、この袖パネル装置の袖パネルの先端部に一端部が取付けられ、他端部が前記他方の躯体の目地部側の側壁に取付けられた伸縮可能な壁用目地装置とからなる壁目地装置とを備えたことを特徴とする目地装置。
【請求項２】
床目地プレートおよび袖パネルはガイドレールにスライド移動可能に取付けられた移動根太に固定されていることを特徴とする請求項１記載の目地装置。
【請求項３】
壁目地装置は他方の躯体の床面の平行に固定された他方のガイドレールに沿ってスライド移動する他方の移動根太に下端部が取付けられていることを特徴とする請求項１記載の目地装置。
【発明の詳細な説明】
【技術分野】
【０００１】
本発明は目地部を介して設けられた側壁を有する通路を備える左右の躯体間の床目地部と側壁間の目地部を覆う目地装置に関する
【背景技術】
【０００２】
従来、側壁を有する通路を備えた左右の躯体間の目地部は、一方の目地部側の床躯体に後端部を前後方向にスライド移動可能に取付け、先端部を左右方向にスライド移動可能に目地プレートを取付けた床用目地装置と、左右の躯体の目地部側の側壁に両端部が取付けられた伸縮可能な壁用目地装置で覆っている。
【０００３】
しかし、このような目地装置は、地震による異なる左右方向の揺れ動きは安全にその揺れ動きを吸収することができるが、異なる前後方向に揺れ動いた場合、目地プレートの端部と壁用目地装置との間に隙間が生じて危険な状態となるという欠点があった。
【先行技術文献】
【特許文献】
【０００４】
【特許文献１】特許第３１２２３５６号
【特許文献２】特許第３９１７５６６号
【発明の概要】
【発明が解決しようとする課題】
【０００５】
本発明は以上のような従来の欠点に鑑み、左右の躯体が地震で異なる前後左右方向に揺れ動いても、床目地部や壁目地部に隙間が生じるのを確実に防止して、安全に使用することができる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた側壁を有する通路を備えた左右の躯体の、一方の躯体の目地部側の通路の床面と平行で側壁部分まで突出するガイドレールと、このガイドレールに後端部が移動可能に支持され、先端部が他方の躯体の目地部側の通路の床面上に位置する床目地プレートと、前記ガイドレールにスライド移動可能で、前記床目地プレートの端部と一体になって移動するように取付けられた袖パネルを有する袖パネル装置、この袖パネル装置の袖パネルの先端部に一端部が取付けられ、他端部が前記他方の躯体の目地部側の側壁に取付けられた伸縮可能な壁用目地装置とからなる壁目地装置とで目地装置を構成している。
【発明の効果】
【０００８】
以上の説明から明らかなように、本発明にあっては次に列挙する効果が得られる。
【０００９】
（１）目地部を介して設けられた側壁を有する通路を備えた左右の躯体の、一方の躯体の目地部側の通路の床面と平行で側壁部分まで突出するガイドレールと、このガイドレールに後端部が移動可能に支持され、先端部が他方の躯体の目地部側の通路の床面上に位置する床目地プレートと、前記ガイドレールにスライド移動可能で、前記床目地プレートの端部と一体になって移動するように取付けられた袖パネルを有する袖パネル装置、この袖パネル装置の袖パネルの先端部に一端部が取付けられ、他端部が前記他方の躯体の目地部側の側壁に取付けられた伸縮可能な壁用目地装置とからなる壁目地装置とで構成されているので、左右の躯体が地震で異なる前後方向に揺れ動いた場合、床目地プレートの先端部が他方の躯体の目地部側の床面上をスライド移動して、その揺れ動きを吸収することができるとともに、壁用目地装置が伸縮してその揺れ動きを吸収し、床面や壁面に隙間が生じることなく安全に使用することができる。
【００１０】
（２）前記（１）によって、地震によって左右の躯体が異なる前後方向に揺れ動いた場合、床目地プレートは他方の躯体の側壁によって前後方向にスライド移動するとともに、袖パネルが床目地プレートと一体となってスライド移動して、床目地プレートの端部と袖パネルおよび壁用目地装置との床面に隙間が生じるのを防止し、かつ床目地プレートの端部と壁面との間に隙間が生じるのを確実に阻止することができる。
したがって、地震時に目地部に隙間が生じることなく、安全に使用することができる。
【００１１】
（３）前記（１）によって、床目地プレートの端部と袖パネルを一体に移動できるようにするだけでよいので、構造が簡単で、容易に設置することができる。
【００１２】
（４）請求項２は前記（１）〜（３）と同様な効果が得られ、床目地プレートと袖パネルの取付けが容易にできる。
【００１３】
（５）請求項３は前記（１）〜（３）と同様な効果が得られるとともに、壁用目地装置の下部をガイドレールに支持させることができ、壁用目地装置を簡単な構成のものを用いることができる。
【図面の簡単な説明】
【００１４】
【図１】本発明を実施するための第１の形態の平面図。
【図２】図1の２−２線に沿う断面図。
【図３】図1の３−３線に沿う断面図。
【図４】図２の４−４線に沿う断面図。
【図５】本発明を実施するための第１の形態の異なる左右方向に揺れ動いた状態の説明図。
【図６】本発明を実施するための第１の形態の異なる前後方向の一方に揺れ動いた状態の説明図。
【図７】本発明を実施するための第１の形態の異なる前後方向の他方に揺れ動いた状態の説明図。
【図８】本発明を実施するための第２の形態の平面図。
【図９】図８の９−９線に沿う断面図。
【図１０】本発明を実施するための第２の形態の壁目地装置の説明図。
【図１１】本発明を実施するための第３の形態の平面図。
【図１２】図１１の１２−１２線に沿う断面図。
【図１３】本発明を実施するための第３の形態の壁目地装置の説明図。
【図１４】本発明を実施するための第４の形態の平面図。
【図１５】本発明を実施するための第４の形態の正面図。
【図１６】図１４の１６−１６線に沿う断面図。
【図１７】図１４の１７−１７線に沿う断面図。
【発明を実施するための形態】
【００１５】
以下、図面に示す本発明を実施するための形態により、本発明を詳細に説明する。
【００１６】
図１ないし図７に示す本発明を実施するための第１の形態において、１は目地部２を介して設けられた側壁３、３を有する通路４、４を有する左右の躯体５、５間の目地部を覆う本発明の目地装置で、この目地装置１は前記左右の躯体５、５の一方の躯体５の目地部側の床躯体５ａにほぼ水平に固定された両端部が側壁部分まで位置するガイドレール６と、このガイドレール６と対応する他方の躯体５の目地部側の床躯体５ａに反目地部側が傾斜面７に形成された目地プレートスライド支持凹部８と、後端部が前記ガイドレール６に複数個のローラ９を介してスライド移動可能に設けられた移動根太１０に固定され、先端部が前記目地プレートスライド支持凹部８に支持された床目地プレート１１と、この床目地プレート１１の両側部に位置する移動根太１０に下端部が固定された外周部にフレーム１２を備える袖パネル１３、１３、この袖パネル１３、１３のほぼ中央部の上部をスライド移動可能に支持する一方の躯体５の側壁３、３に固定された押え金具１４、１４とからなる袖パネル装置１５、１５と、この袖パネル装置１５、１５の袖パネル１３、１３の先端部のフレーム部材１２ａに一端部が取付けられ、他端部が前記他方の躯体５の目地部側の側壁３に取付けられた伸縮可能な壁用目地装置１６、１６とからなる壁目地装置１７、１７とで構成されている。
【００１７】
前記壁目地装置１７の伸縮可能な壁用目地装置１６は、一端部が前記袖パネル１３の先端部のフレーム部材１３ａに枢支ピン１８で枢支され、他端部が前記他方の躯体５の目地部側の側壁３に枢支ピン１９で枢支された、中央部に中央枢支部２０が形成された少なくとも２個以上の四角形状が２個のパンタグラフ形状のリンク機構２１、２１と、この少なくとも２個以上のリンク機構２１、２１の両端部の枢支ピン１９、２０に後端部が取付けられた、該リンク機構２１、２１に沿う端部目地プレート２２、２２と、この端部目地プレート２２、２２の内側寄りの部位を覆う中央部で、前記少なくとも２個以上のリンク機構２１、２１の中央枢支部２０、２０に枢支ピン２３、２３で枢支される中央目地プレート２４とで構成されている。
【００１８】
上記構成の目地装置１は、通常時には図１に示すように左右の躯体５、５の通路４、４は床目地プレート１１で覆われるとともに、壁面部分の目地部は壁目地装置１７、１７の伸縮可能な壁用目地装置１６、１６で覆われた状態となって、隙間がなく、安全に使用できる。
【００１９】
地震で左右の躯体５、５が異なる左右方向に揺れ動いた場合、図５に示すように床目地プレート１１の先端部が目地プレートスライド支持凹部８内をスライド移動して、その揺れ動きを吸収するとともに、壁目地装置１７、１７の伸縮可能な壁用目地装置１６、１６が伸縮して、その揺れ動きを吸収する。
【００２０】
地震で左右の躯体５、５が異なる前後方向に揺れ動いた場合、図６および図７に示すように床目地プレート１１の先端部側が他方の躯体５の側壁３、３によって一体となって移動するため、床目地プレート１１の一方の躯体５に支持されている後端部がガイドレール６に沿って前後方向にスライド移動して、その揺れ動きを吸収するとともに、壁目地装置１７の袖パネル装置１５、１５の袖パネル１３、１３が前後方向にスライド移動し、生じる隙間を袖パネル１３、１３で覆うことができる。
[発明を実施するための異なる形態]
【００２１】
次に、図８ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図８ないし図１０に示す本発明を実施するための第２の形態において、前記本発明を実施するための第１の形態と主に異なる点は、他方の躯体５の目地部側に反目地部側が傾斜面でない目地プレートスライド支持凹部８Ａを形成し、該目地プレートスライド支持凹部８Ａによりスムーズにスライド移動可能に支持されるように先端部の底面に複数個のローラ２５を備えた床目地プレート１１Ａを支持させ、前記目地プレートスライド支持凹部８Ａを前記床目地プレート１１Ａのスライド移動可能に覆うカバープレート２６を用いるとともに、一端部が袖パネル１３の先端部のフレーム部材１３ａに固定された目地部のほぼ３分の２を覆う一方の端部目地プレート２７と、他方の躯体５の目地部２側の側壁３に固定された目地部のほぼ３分の２を覆う、前記一方の端部目地プレート２７と重なり合う他方の端部目地プレート２８と、この他方の端部目地プレート２８を常時前記一方の端部目地プレート２７との重なりを保持できるように袖パネル１３の先端部のフレーム部材１３ａに後端部が固定された複数個の保持バー２９、２９とからなる伸縮可能な壁用目地装置１６Ａ、１６Ａを使用した壁目地装置１７Ａを用いた点で、このように構成した目地装置１Ａにしても、前記本発明を実施するための第１の形態と同様な作用効果が得られる。
【００２３】
図１１ないし図１３に示す本発明を実施するための第３の形態において、前記本発明を実施するための第１の形態と主に異なる点は、床目地プレート１１のせり上げ分を隙間となるように端部目地プレート２２Ａ、２２Ａおよび中央目地プレート２４Ａを配置するとともに、該端部目地プレート２２Ａ、２２Ａおよび中央目地プレート２４Ａの下端部にゴムや耐火シート等のシート材３０、３０、３０を取付け、隙間を覆った伸縮可能な壁用目地装置１６Ｂ、１６Ｂを使用した壁目地装置１７Ｂ、１７Ｂを用いた点で、このような壁目地装置１７Ｂ、１７Ｂを用いて構成した目地装置１Ｂにしても、前記本発明を実施するための第１の形態と同様な作用効果が得られる。
【００２４】
図１４ないし図１７に示す本発明を実施するための第４の形態において、前記本発明を実施するための第１の形態と主に異なる点は、他方の躯体としてのエレベータシャフト３１の開口部３２の下部位置の躯体３１ａにガイドレール６を固定し、該ガイドレール６に沿って移動する床目地プレート１１を取付けるとともに、エレベータシャフト３１の開口部３２側の側面としての躯体面３１ａと側壁３、３との間を覆う伸縮可能な壁用目地装置１６、１６を使用した点で、このように構成した目地装置１Ｃにしても、前記本発明を実施するための第１の形態と同様な作用効果が得られる。
【００２５】
なお、目地プレートスライド支持凹部をスライド移動可能な金属材でカバーしてもよく、また、床目地プレートの後端下部にガイドレールと係合し、スムーズにスライド移動するスライド移動体を固定したものであってもよい。
【産業上の利用可能性】
【００２６】
本発明は床面と壁面間に隙間がある左右の躯体間に使用される目地装置を製造する産業で利用される。
【符号の説明】
【００２７】
１、１Ａ、１Ｂ、１Ｃ：目地装置、
２：目地部、                  ３：側壁、
４：通路、                    ５：躯体、    
６：ガイドレール、            ７：傾斜面、
８、８Ａ：目地プレートスライド支持凹部、
９：ローラ、                  １０：移動根太、
１１、１１Ａ：床目地プレート、１２：フレーム、
１３：袖パネル、              １４：押え金具、
１５：袖パネル装置、
１６、１６Ａ、１６Ｂ：伸縮可能な壁用目地装置、
１７、１７Ａ、１７Ｂ：壁目地装置、
１８：枢支ピン、              １９：枢支ピン、
２０：中央枢支部、            ２１：リンク機構、
２２、２２Ａ：端部目地プレート、
２３：枢支ピン、                            
２４、２４Ａ：中央目地プレート、
２５：ローラ、                ２６：カバープレート、
２７：一方の端部目地プレート、２８：他方の端部目地プレート、
２９：保持バー、              ３０：シート材、
３１：エレベータシャフト、    ３２：開口部。
【図１】
2010242311.tif 000003
【図２】
2010242311.tif 000004
【図３】
2010242311.tif 000005
【図４】
2010242311.tif 000006
【図５】
2010242311.tif 000007
【図６】
2010242311.tif 000008
【図７】
2010242311.tif 000009
【図８】
2010242311.tif 000010
【図９】
2010242311.tif 000011
【図１０】
2010242311.tif 000012
【図１１】
2010242311.tif 000013
【図１２】
2010242311.tif 000014
【図１３】
2010242311.tif 000015
【図１４】
2010242311.tif 000016
【図１５】
2010242311.tif 000017
【図１６】
2010242311.tif 000018
【図１７】
2010242311.tif 000019